(57)【要約】      （修正有）【課題】入力装置のバーチャル２次元測位モジュールの構造を提供する。【解決手段】赤外光レーザー光源２０、少なくとも二つのリニアラインセンサー３０及びコントローラー４０で構成し、平面に置いて使用する。赤外光レーザー光源２０は、対外に水平の赤外線レーザー２１を投射することができ、水平の赤外線レーザー２１は、平面の上方に、平面に接近及び平行し、且つ範囲エリアを占める。少なくとも二つのリニアラインセンサー３０は予定する適切な距離を隔てて離れて設置し、それぞれユーザーの制御物体４が２次元光幕２２範囲内に入った時に、遮りによって赤外線レーザー２１が作り出した反射光２３を感応するためのものであり、それによりライン位置信号が生まれる。コントローラー４０は少なくとも二つのリニアラインセンサー３０が感応して得たライン位置信号を受信して運算を行うためのものである。【選択図】図１
0003201426.tif 000002
【実用新案登録請求の範囲】
【請求項１】
赤外光レーザー光源、少なくとも二つのリニアラインセンサー及びコントローラーを含み、平面に置いて使用し、
該赤外光レーザー光源は、対外に水平の赤外線レーザーを投射することができ、該水平の赤外線レーザーは、該平面の上方に、該平面に接近及び平行し、且つ一つの範囲エリアを占める２次元(Ｘ−Ｙ)光幕を形成し、
該少なくとも二つのリニアラインセンサーは予定する適切な距離を隔てて離れて設置し、それぞれユーザーの制御物体が該２次元光幕範囲内に入った時に、遮りによって該赤外線レーザーが作り出した反射光を感応するためのものであり、それによりライン位置信号が生まれ、
該コントローラーは該少なくとも二つのリニアラインセンサーが感応して得たライン位置信号を受信して運算を行うためのものであり、該制御物体が該２次元光幕範囲内にて対応する２次元座標位置を割り出すことを特徴とする入力装置のバーチャル２次元測位モジュールの構造。
【請求項２】
前記該赤外光レーザー光源が発するレーザービームは、広角用光学部品の屈折により、屈折後のライトファンが９０度より大きくなり、該平面の表面に広角の２次元光幕を形成することを特徴とする請求項１記載の入力装置のバーチャル２次元測位モジュールの構造。
【請求項３】
該少なくとも二つのリニアラインセンサーは互いに平行し、且つ離れて該赤外光レーザー光源の左右両サイドに設置することを特徴とする請求項１記載の入力装置のバーチャル２次元測位モジュールの構造。
【請求項４】
前記制御物体はユーザーの指とすることを特徴とする請求項１記載の入力装置のバーチャル２次元測位モジュールの構造。
【請求項５】
前記バーチャル２次元測位モジュールは更に投影装置と合わせて使用し、バーチャルキーボード入力装置を構成し、該バーチャル２次元測位モジュールが起動された場合、該投影装置は該２次元光幕範囲内に、キーボード配置を具有するバーチャルキーボードを形成して投影し、
該制御物体が該バーチャルキーボードの２次元光幕に対応する範囲内に入ったとき、該バーチャル２次元測位モジュールの感応及び運算機能により、該コントローラーは該制御物体が該バーチャルキーボードで対応する２次元座標位置を運算して割り出すことを特徴とする請求項１記載の入力装置のバーチャル２次元測位モジュールの構造。
【請求項６】
前記バーチャル２次元測位モジュールは更に起動ユニットと合わせて使用し、該起動ユニットは感知部品を使って、ユーザーが該入力装置を使いたがっているか否かを検出することを特徴とする請求項５記載の入力装置のバーチャル２次元測位モジュールの構造。
【請求項７】
前記バーチャル２次元測位モジュールは更に投影装置と合わせて使用し、バーチャル番号キーボード入力装置を具有するパスワードロックアクセス制御システムを構成し、
該バーチャル２次元測位モジュールが起動されたとき、該投影装置は該２次元光幕範囲内にバーチャル番号キーボードを形成して投影し、
該制御物体が該バーチャル番号キーボードの２次元光幕に対応する範囲内に入ったとき、該バーチャル２次元測位モジュールの感応及び運算機能を通じて、該コントローラーは該制御物体が該バーチャル番号キーボードに対応する２次元座標位置を運算して割り出すことを特徴とする請求項１記載の入力装置のバーチャル２次元測位モジュールの構造。
【請求項８】
前記バーチャル２次元測位モジュールは更に起動ユニットと合わせて使用し、該起動ユニットは感知部品を使って、ユーザーが該バーチャル番号キーボード入力装置を具有するパスワードアクセス制御システムを使いたがっているか否かを検出することを特徴とする請求項７記載の入力装置のバーチャル２次元測位モジュールの構造。
【請求項９】
前記バーチャル２次元測位モジュールは更に投影装置と合わせて使用し、バーチャルマウス入力装置を構成し、
該バーチャル２次元測位モジュールが起動されたとき、該投影装置は該２次元光幕範囲内にバーチャルマウスを形成して投影し、それに含まれるのは左ボタンエリア、右ボタンエリア及び該左ボタンと該右ボタンの間にあるスクロールボタンを含み、
該制御物体が該バーチャルマウスの２次元光幕に対応する範囲内に入ったとき、該バーチャル２次元測位モジュールの感応及び運算機能を通じて、該コントローラーは該制御物体が該バーチャルマウスに対応する２次元座標位置を運算して割り出すことを特徴とする請求項１記載の入力装置のバーチャル２次元測位モジュールの構造。
【請求項１０】
前記バーチャル２次元測位モジュールは更に起動ユニットと合わせて使用し、該起動ユニットは感知部品を使って、ユーザーが該バーチャルマウス入力装置を使いたがっているか否かを検出することを特徴とする請求項９記載の入力装置のバーチャル２次元測位モジュールの構造。
【請求項１１】
前記バーチャル２次元測位モジュールは更にバーチャルスイッチを形成し、  
該バーチャル２次元測位モジュールは該制御物体が該バーチャルスイッチの２次元光幕に対応する範囲内に入ったと感応した時、該バーチャルスイッチは“ＯＦＦ”の状態から“ＯＮ”の状態に変わり、
該バーチャル２次元測位モジュールが再び該制御物体が該バーチャルスイッチの２次元光幕に対応する範囲内に入ったと感応した時、該バーチャルスイッチは直ちに“ＯＮ”の状態から“ＯＦＦ”の状態に変わることを特徴とする請求項９記載の入力装置のバーチャル２次元測位モジュールの構造。
【請求項１２】
ケース、光源、少なくとも二つのリニアラインセンサー及び投影装置を含み、
該ケースの外形輪郭はマスクの造形或いはヘルメットの造形とし、該ケースの前側面を顔の形にし、額部、眼部、頬部及び口部を含み、
該光源を該ケース内に設置し、且つ該ケースの口部に対応することで、該光源は該口部を通じて対外に照射し、該平面の上方に２次元(Ｘ-Ｙ)の光幕を形成し、
該少なくとも二つのリニアラインセンサーは間隔を開けて該ケース内に設置し、且つ該ケースの頬部に対応し、該少なくとも二つのリニアラインセンサーはそれぞれユーザーの制御物体が該２次元(Ｘ-Ｙ)光幕の範囲内にて、該光源を遮ったためにできた反射光を感知するために用いるものであり、それによりライン位置信号が生まれ、
該投影装置を該ケース内に設置し、且つ該ケースの額部に対応し、該投影装置は該２次元(Ｘ-Ｙ)光幕の範囲内にてバーチャル入力画像を形成して投影するために用いるものであり、該バーチャル入力画像はバーチャルキーボードの入力画像、バーチャル番号キーボードの入力画像或いはバーチャルマウス入力画像であることを特徴とする入力装置のバーチャル２次元測位モジュールの構造。
【請求項１３】
更にコントローラー及び二つの指示ランプを含み、
該コントローラーを該ケース内に設置し、該少なくとも二つのリニアラインセンサーが感応して得たライン位置信号を受信し運算を行うために用いるものであり、該制御物体が該２次元光幕の範囲内で対応する２次元座標位置を割り出し、
該二つの指示ランプは対称的に間隔を開けて該ケース内に設置し、且つ該ケースの頬部に対応し、該投影装置が形成して投影するバーチャル入力画像がバーチャルマウスの入力画像である場合、該二つの指示ランプはそれぞれマウスの左、右ボタンの表示ランプになることを特徴とする請求項１２記載の入力装置のバーチャル２次元測位モジュールの構造。
【考案の詳細な説明】
【技術分野】
【０００１】
本考案は入力装置のバーチャル２次元測位モジュールの構造に関し、特に一つの赤外光レーザー光源（IR laser light）と少なくとも二つのリニアラインセンサー（linear line sensor）及び一つのコントローラーで構成する２次元測位モジュールである。本考案は更に一種のバーチャル入力装置に関し、特にマスク或いはヘルメットの造形を具有するバーチャル入力装置の構造に関する。
【背景技術】
【０００２】
本考案は一種の入力装置のバーチャル２次元測位モジュールに関し、当該入力装置とは、一つの伝送インターフェイスが資料を入力することにより、それに対応する応用装置を駆使して作業を進める。例えば通称のユーザーインターフェイス（user interface）或いはヒューマンインターフェイスデバイス（HID,Human Interface Device）などの伝送インターフェイスがある。目下は一つのユーザーインターフェイスのシステム構造或いは当該応用範囲において、タッチタイプ及びリモートタイプの二種類の異なる使用形態に分けられる。
【０００３】
タッチタイプのユーザーインターフェイスに多くの異なるタッチシステム及び方法が含まれる。例えば抵抗(Resistive)、容量性(Capacitive)、表面弾性波(SAW,Surface Acoustic Wave)、赤外線(IR, Infrared）、光画像(optical imaging)などがある。該通過する制御物体、例えば指或いはタッチペンが直接一つのタッチタイプのディスプレイに触れると、通常のボタンタイプ或いは棒タイプの制御方法の代わりに、該ディスプレイの各機能、例えばクリック、画面の切替、画面の拡大/縮小或いはタッチゲームなどを制御する。
【０００４】
その中で、光画像のタッチシステムでは、US 2009/0200453、US 7,538,759、US 7,692,625、US 7,629,967などの従来技術を含む。一つのパネル(ディスプレイ)の四サイドの枠或いは四隅に例えばＬＥＤの一つの光源を設け、それにより該パネルに一つの光幕を形成する。また該パネルの四周縁の枠に、互いに垂直に設置する光反射棒或いは吸光棒及び、少なくとも方向の交差を感知する二つのカメラ（camera）を設置する。一つの制御物体、例えば指或いはタッチペンで該パネルを触れると、該制御物体は該光幕に対して光の乱射或いは遮断をすることができる。この時、該光反射棒の反射作用或いは吸光棒の吸収作用により、即ち該少なくとも二つのカメラの感知により、該制御物体の少なくとも二つの方向の相対位置を知ることができる。更に一つのプロセッサーの運算機能により、該制御物体が実際パネルにいる位置座標を割り出すことで、該光学タッチシステムの使用機能を実現する。つまり、従来の光画像のタッチシステムは、該少なくとも二つのカメラ(camera)の感知機能及び該プロセッサーの運算機能を利用すれば、該パネルに一種の２次元測位機能が生まれる。しかし、従来の光画像タッチシステムの多くはＬＥＤ光源を採用している。ＬＥＤの光は高いコヒーレント光（highly coherent light）光源ではなく、且つ外在の光の影響を受けやすいため、有効的にタッチの敏捷度を高めることができない。また、全体のシステム構造は、光反射棒或いは吸光棒の使用に合わさなければならないため、枠による制限がある。また、塵及び汚れが枠にくっつきやすく、それによってタッチの機能に影響を及ぼす。故に該システム構造は比較的複雑であり、コストも相対的に増え、システムの安定性も影響を受けると、相対的に使用効率が低くなる。よって、従来技術の光画像のタッチシステムが具有する２次元測位機能の技術は、直接本考案の入力装置の２次元測位モジュールに応用することができない。
【０００５】
この他、投影技術を使って、バーチャルキーボード（virtual keyboard）のような、一つのバーチャル入力装置を構成する関連技術範囲の中で、US5,168,531、US5,198,877、US5,448,263、US5,617,312、US5,627,565、US5,767,842、US5,798,519、US5,933,132、US5,969,698、US6,037,882、US6,043,805、US6,104,387、US6,115,128、US6,229,913、US6,252,598、US6,266,048、US6,281,878、US6,323,942、US6,424,334、US6,512,838、US6,522,312、US6,614,422、US6,690,354、US6,690,618、US6,710,770、US7,006,236、US7,050,177、US7,151,530、US2012/0162077、US2014/0055364などを含む既に多くの従来技術がある。US6,614,422、US2012/0162077、US2014/0055364を例に上げて説明する。それらはバーチャルキーボード或いはバーチャルマウスのような、一つのバーチャル入力デバイス（virtual input device）を利用して資料を入力するためのシステム及び方法を公開した。しかし、上述の従来技術を実際に応用する際には、尚もシステム構造が比較複雑及びマイクロ化しにくいなどの欠点が存在し、各種の入力装置の応用に導入するのに不利であり、使用効率にも影響する。
【０００６】
この他、リモート式ユーザーインターフェイスは例えば手振り或いは人体の一つの部位のような一つの特徴物体(制御物体)を利用して、一つのＸ、Ｙ、Ｚの３次元スペースで相対位置及び動作の変化が生まれ、リモート式を通じて該ディスプレイの各項目の機能を制御する。すなわち該特徴物体(制御物体)は直接該ディスプレイをタッチしない。目下リモート式ユーザーインターフェイスの従来技術はWO 03/071410、US 7,348,963、US 7,433,024、US 6,560,019、US 2008/ 0240502、US 2008/0106746、US 2009/0185274、US 2009/0096783、US 2009/0034649、US 2009/0185274、US 2009/0183125、US 2010/0020078など、及びTW 200847061、TW 201033938、TW 201003564、TW 201010424、TW 201112161などを含む。従来のリモート式ユーザーインターフェイスは３次元測位機能を具有するが、応用する上で下記の不足が存在する：(１)従来のリモート式ユーザーインターフェイスは一般的に二つの映像キャプチャレンズ(camera)で該特徴物体(制御物体)が３次元スペース(Ｘ-Ｙ-Ｚ)にある相対位置及び／或いは動作変化の画像をキャプチャし、座標測位運算(即ち３次元測位機能を具有する)を行う。映像キャプチャレンズ(camera)を設けているため、応用する際に、盗撮される安全面のリスクが存在する。(２)該座標測位運算により該コントローラーの運算量が増え、且つソフトウェアが複雑化する。(３)関連する構成部品が比較的多くなり、有効的に製造コストを下げることができない。 (４)採用する構成部品は例えば二つの映像キャプチャレンズ(camera)或いは赤外線光源を設置する際、有効範囲が比較的大きい３次元スペース(Ｘ-Ｙ-Ｚ)に向ける必要があり、それにより各構成部品の設置位置の相対する高度が比較的高くなる。よってマイクロ化しにくい或いはできない。よって、従来のリモート式ユーザーインターフェイスのシステム構造は直接各種の入力装置の応用に導入することができない、或いは不利である。例えばその他の投影装置に合わせて構成するバーチャルキーボード、バーチャルスイッチ、アクセス制御システムなど、特に２次元測位機能を具有する入力装置或いはその応用に不利である。
【０００７】
上述で分かるように、一つの入力装置の２次元測位モジュール及び該応用する技術領域の中で、盗撮される安全面のリスクを避けられ、コントローラーの運算量を簡易化することができ、製造コストを下げることができ、マイクロ化のデザインにでき、且つ各種入力装置応用に導入するのに有利な２次元測位モジュールを案出する必要がある。また、体積が小さく、低騒音且つ持ち運びやすいのは、電子製品の発展趨勢であった。一般的に一つの実体入力装置を組み合わせることが多い。キーボード入力装置、番号キーボード入力装置或いは左右ボタンを含むマウス入力装置など、該実体入力装置は文字或いはデジタル入力キーを含むことができ、ユーザーがタイプして関連情報を入力する際に用いることができ、その実体入力装置で減らせるスペースは大変限りがある。手書きボードやボイス、光ペンなど、代わりになる入力装置はあると雖も、前述の入力装置を使い慣れている多くのユーザーにとって、キーボード或いはマウスを使って入力する使用習慣は、他の方法に変えるのは難しい。
【０００８】
よって、いわゆるバーチャルキーボード(virtual keyboard)の製品が案出された。ホログラフィ或いは光学スキャナーの方法を使ってキーボードの画像を“固定”し、更に検知ビームを使ってユーザーがバーチャルキーボードに入力した操作命令を検出する。よってユーザーは一つの投射装置のみを携帯すれば、キーボードを操作して入力する効果に達することができ、且つ騒音無し、スペースを取らず、及び携帯できるメリットを兼ね備えると共に、如何なる場所において入力することができる。
【０００９】
そのような製品は既に市場で販売されているが、この従来技術は構造を変更することで外観の美しさと装飾性を高めることを目標にしていないため、ユーザーにとって、明らかに魅力的な製品ではないことを鑑みて、如何に基本のハードウェアの構造の元で、より高い付加価値を探すことが、目下考えなければならない問題であるのは確かである。
【先行技術文献】
【特許文献】
【００１０】
【特許文献１】特開２０１１−５５８９１号公報
【考案の概要】
【考案が解決しようとする課題】
【００１１】
前記公知構造の欠点を解決するため、本考案は一種の入力装置のバーチャル２次元測位モジュールの構造を提供することを主な課題とする。
【課題を解決するための手段】
【００１２】
本考案の主な目的は、一種の入力装置のバーチャル２次元測位モジュールを提供するものである。それに含まれるのは、赤外光レーザー光源（IR laser light）、少なくとも二つのリニアラインセンサー（linear line sensor）、コントローラーである。該赤外光レーザー光源は対外に投射することで、２次元(Ｘ-Ｙ)の光幕を形成する。該少なくとも二つのリニアラインセンサーは、等間隔に開けて設置し、それぞれユーザーの制御物体(例えば指)が２次元光幕の範囲内に入った際にできた反射光に感応することで、各ライン位置信号が生まれる。該コントローラーは例えばＭＣＵ（microcontroller unit）は少なくとも二つのリニアラインセンサーが感応して得たライン位置信号を受信して運算をする。運算して得た該制御物体は、該２次元(Ｘ-Ｙ)の光幕の範囲の中で対応する２次元座標位置を割り出し、バーチャル２次元測位の効果を実現すると同時に、従来技術が映像キャプチャレンズ(camera)を使用することにより、盗撮されやすい安全面のリスクを避けることができ、コントローラーの運算量を減らし、製品製造コストを下げ、マイクロ化モジュール設計などのメリットを持ち、各種の入力装置の応用を導入するのに有利になる。例えばバーチャルキーボード（virtual keyboard）、アクセス制御システム、バーチャルマウス（virtual mouse）、バーチャルスイッチ（virtual switch）など、一つの投影装置に合わせて一つの入力装置を構成することで、該２次元測位モジュール及び入力装置の応用範囲及び効益を拡大する。
【００１３】
本考案を入力装置の実施例の応用に導入する。本考案が提供する入力装置のバーチャル２次元測位モジュールは、投影装置及び/或いは起動ユニットに合わせて使用することができ、バーチャルキーボード（virtual keyboard）入力装置を構成する。それは該起動ユニットを利用してユーザーの制御物体が近づいているか否かを検出する。そうである場合、バーチャル２次元測位モジュールを起動し、且つバーチャル２次元測位モジュールの中の該コントローラーを通じて該投影装置を起動し、バーチャル２次元測位モジュールで形成する２次元(Ｘ-Ｙ)光幕範囲内に、キーボードの配置を具有するバーチャルキーボードを形成して投影する。ユーザーの制御物体が該バーチャルキーボードの２次元光幕に対応する範囲内に入ったとき、バーチャル２次元測位モジュールを通じて、該制御物体が該バーチャルキーボード(２次元光幕範囲)内に対応する２次元座標位置、一線バーチャル２次元測位を割り出し、該バーチャルキーボード(２次元光幕範囲)が予定するシステム使用機能を実現することで、該バーチャルキーボードの入力装置のシステム構造を簡易化する。
【００１４】
本考案を別の入力装置実施例の応用に導入する。本考案が提供する入力装置のバーチャル２次元測位モジュールは、投影装置及び/或いは起動ユニット或いは感応ユニットと合わせて使用することができ、バーチャル番号キーボードのパスワードロックアクセス制御システムを構成する。それは該起動ユニットを利用して、ユーザーの制御物体が近づいているか否かを検出し、或いは該感応ユニットを使ってユーザー(例えばＮＦＣ或いはＩＤカード)が合致するのかを検出/識別する。仮に合致すれば、本考案を起動し、且つバーチャル２次元測位モジュールにあるコントローラーを通じて該投影装置を起動し、バーチャル２次元測位モジュールで２次元(Ｘ−Ｙ)光幕範囲内に番号キーボードの配置を具有するバーチャル番号キーボードを形成して投影する。
ユーザーの制御物体が、該バーチャル番号キーボードの２次元光幕に対応する範囲内入った際、本考案のバーチャル２次元測位モジュールを通じて、該制御物体が該バーチャル番号キーボード(２次元光幕範囲)内に対応する２次元座標位置を割り出すことができ、バーチャル２次元測位を実現する。また、該パスワードロックアクセス制御システムのバーチャル番号キーボード(２次元光幕範囲)が予定するシステム使用機能を実現することで、該パスワードロックアクセス制御システム(入力装置)のシステム構造を簡易化する。
【００１５】
本考案を別の入力装置実施例の応用に導入する。本考案が提供する入力装置のバーチャル２次元測位モジュールは、投影装置及び/或いは起動ユニットに合わせて使用することができ、バーチャルマウスの入力装置を構成する。それは該起動ユニットを利用して、ユーザーの制御物体が近づいているか否かを検出する。そうである場合、バーチャル２次元測位モジュールを起動し、且つバーチャル２次元測位モジュールの中の該コントローラーを通じて該投影装置を起動し、バーチャル２次元測位モジュールで形成する２次元(Ｘ-Ｙ)光幕範囲内に、マウスとボタンを具有するバーチャルマウスを形成して投影する。ユーザーの制御物体が該バーチャルマウスの２次元光幕に対応する範囲内に入ったとき、本考案が提供するバーチャル２次元測位モジュールを通じて、制御物体が該バーチャルマウス(２次元光幕範囲)内に対応する２次元座標位置を割り出すことができ、バーチャル２次元測位を実現し、且つ該バーチャルマウスが予定するシステム使用機能を実現することで、該バーチャルマウスの入力装置のシステム構造を簡易化する。
【００１６】
本考案を別の入力装置実施例の応用に導入する。本考案が提供する入力装置のバーチャル２次元測位モジュールは、投影装置及び/或いは起動ユニットに合わせて使用することができ、バーチャルスイッチの入力装置を構成する。それは該起動ユニットを利用して、ユーザーの制御物体が近づいているか否かを検出する。そうである場合、バーチャル２次元測位モジュールを起動し、且つバーチャル２次元測位モジュールの中の該コントローラーを通じて該投影装置を起動し、バーチャル２次元測位モジュールで形成する２次元(Ｘ-Ｙ)光幕範囲内に、スイッチを具有するバーチャルスイッチを形成して投影する。ユーザーの制御物体が該バーチャルスイッチの２次元光幕に対応する範囲内に入ったとき、本考案が提供するバーチャル２次元測位モジュールを通じて、該制御物体が該バーチャルスイッチ(２次元光幕範囲)内に対応する２次元座標位置を割り出すことができ、バーチャル２次元測位を実現し、且つ該バーチャルスイッチが予定する使用機能を実現する。ユーザーの制御物体(例えば指)が該バーチャルスイッチの２次元光幕が対応する範囲内に入ったと感応した時、該バーチャルスイッチは元の“ＯＦＦ”の状態から“ＯＮ”の状態に変わる。再びユーザーの制御物体(例えば指)を感応した時、該バーチャルスイッチは直ちに“ＯＮ”の状態から“ＯＦＦ”の状態に変わり、該バーチャルスイッチの入力装置のシステム構造を簡易化する。
【００１７】
本考案の一つの実施例において、該コントローラーに例えばＭＣＵ（MCU,Microcontroller Unit）或いはＣＰＵ（CPU，Central Processing Unit）などのプロセッサーを設け、該赤外光レーザー光源と、該少なくとも二つのリニアラインセンサー或いは互いに合わせて使用する投影装置或いは起動ユニットとの間の信号連結及び作動関係を制御するためのものである。例えば該起動ユニットの起動信号を判断し、該投影装置を起動して投影し、及び該少なくとも二つのリニアラインセンサーの座標位置信号を検出且つ受信することで、本考案及び本考案を応用する入力装置のシステム使用機能を実現する。
【００１８】
本考案は更に一種のバーチャル入力デバイスを提供し、従来技術の欠点を克服し、構造及び使用上のメリットを具有し、且つ構造がシンプル、経済的且つメンテナンスしやすい点を克服した。
【００１９】
前記課題を解決するために、本考案は一種のバーチャル入力デバイスを提供するものであり、平面に置いて使用する。それに含まれるのはケース、光源、少なくとも二つのリニアラインセンサー及び投影装置である。該ケースの外形輪郭はマスクの造形或いはヘルメットの造形とし、該前側面を顔の形にし、額部、眼部、頬部及び口部を含む。該光源を該ケース内に設置し、且つ該ケースの口部に対応することで、該口部を通じて対外に照射し、該平面の上方に２次元(Ｘ-Ｙ)の光幕を形成する。該少なくとも二つのリニアラインセンサーは間隔を開けて該ケース内に設置し、且つ該ケースの頬部に対応する。また、それぞれユーザーの一つの制御物体が該２次元(Ｘ-Ｙ)光幕の範囲内にて、該光源を遮ったためにできた反射光を感知するために用いるものであり、それにより一つのライン位置信号が生まれる。該投影装置を該ケース内に設置し、且つ該ケースの額部に対応し、また該２次元(Ｘ-Ｙ)光幕の範囲内にて一つのバーチャル入力画像を形成して投影するために用いるものである。該バーチャル入力画像はバーチャルキーボードの入力画像、バーチャル番号キーボードの入力画像或いはバーチャルマウス入力画像である。
【００２０】
一つの最良実施例において、該バーチャル入力デバイスは更にコントローラー及び二つの指示ランプを含む。
【００２１】
その中で、該コントローラーを該ケース内に設置し、該少なくとも二つのリニアラインセンサーが感応して得たライン位置信号を受信して運算を行うために用いるものである。該制御物体が該２次元光幕範囲内にて対応する２次元座標位置を運算して割り出す。
【００２２】
該二つの指示ランプは対称的に間隔を開けて該ケース内に設置し、且つ該ケースの頬部に対応する。該投影装置が形成して投影するのは該バーチャル入力画像がバーチャルマウスの入力画像である場合、該二つの指示ランプはそれぞれマウスの左、右ボタンの表示ランプになる。
【考案の効果】
【００２３】
本考案の入力装置のバーチャル２次元測位モジュール及びバーチャル入力デバイスの構造により、盗撮されにくく、コントローラーの運算量を減らし、製品製造コストを下げ、マイクロ化モジュール設計などのメリットを持ち、各種の入力装置の応用を導入するのに有利になる。
【００２４】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【図面の簡単な説明】
【００２５】
【図１】本考案のバーチャル２次元測位モジュールの使用状態の平面略図である。
【図１Ａ】リニアラインセンサーが発するライン位置信号の波形図である。
【図２】図１の正面略図である。
【図３】図１の側面略図である。
【図４】本考案のバーチャル２次元測位モジュールをバーチャルキーボードの入力装置に応用した使用状態略図である。
【図５】本考案のバーチャル２次元測位モジュールをバーチャルパスワードロックアクセス制御システムに応用した使用状態略図である。
【図６】本考案のバーチャル２次元測位モジュールをバーチャルマウスの入力装置に応用した使用状態略図である。
【図７】本考案のバーチャル２次元測位モジュールをバーチャルスイッチの入力装置に応用した使用状態略図である。
【図８】本考案のバーチャル入力デバイスの外観立体図である。
【図９】本考案のバーチャル入力デバイスの使用状態の平面略図である。
【図１０】図９の正面略図である。
【図１１】図９の側面略図である。
【図１２】本考案のバーチャル入力デバイスをバーチャルキーボード入力に応用した使用状態略図である。
【図１３】本考案のバーチャル入力デバイスをバーチャル番号キーボード入力に応用した使用状態略図である。
【図１４】本考案のバーチャル入力デバイスをバーチャルマウス入力に応用した使用状態略図である。
【考案を実施するための形態】
【００２６】
以下、本考案の構造と特徴および効果を、最良実施例と図面を参照しながら詳細に説明する。
【実施例】
【００２７】
図１から図３に示すように、本考案は一種の入力装置のバーチャル２次元測位モジュール１を提供する。それは一つの具体形１０（例えば一つのケースで形成する機械本体）の内部に設置することができ、またその他の関連装置２(例えば投影装置)と合わせて使用することもできる。該関連装置２(例えば投影装置)に設置して形成する具体形２ａの内部(図１から図６に示す通り)は、本考案を制限するものではない。本考案が提供するバーチャル２次元測位モジュール１が主に含むのは、一つの赤外光レーザー光源（IR laser light）２０と少なくとも二つのリニアラインセンサー（linear line sensor）３０及び一つのＭＣＵ（microcontroller unit）のようなコントローラー４０である。本考案を使用する際、該バーチャル２次元測位モジュール１或いはその具体形１０或いはほかの具体形２aを一つの平面３に置く。
【００２８】
図１、図３に示すように、該赤外光レーザー光源(IR laser light）２０は、対外に一つの水平の赤外線レーザー２１を投射することができ、該水平の赤外線レーザー２１は、該平面３の上方に、該平面３に接近及び平行し、且つ一つの範囲エリアを占める一つの2次元(Ｘ−Ｙ)光幕２２を形成する。図１から図３に示すように、該赤外光レーザー光源（IR  LASER light）２０が投射する赤外線レーザー光２１が一つの2次元(Ｘ−Ｙ)光幕(図３に示す通り)を形成できるよう、該赤外光レーザー光源（IR  LASER light）２０が発するレーザービームは、ラインジェネレーターオプティックス（line generator optics）のような一つの広角用光学部品の屈折により、屈折後のライトファン（light fan）が90度より大きくでき、該平面３の表面の広角のラインビーム、すなわち２次元(Ｘ−Ｙ)光幕２２を形成するために用いるものである(図１に示す通り)。しかし、上述の２次元(Ｘ−Ｙ)光幕２２の形成方法は、本考案を制限するものではない。
【００２９】
該少なくとも二つのリニアラインセンサー（linear line sensor）３０は一つの予定する適切な距離を隔てて離れて設置する。図１、図２に示すように、互いに平行し、且つ離れて該赤外光レーザー光源２０の左右両サイドに設置するが、本考案を制限するものではない。使用する際、ユーザーの制御物体４、例えば指(図３に示す通り)が該２次元(Ｘ−Ｙ)光幕２２の範囲内のある位置に入ると、該赤外線レーザー２１は該制御物体４の遮りにより反射光２３を作り出す。該少なくとも二つのリニアラインセンサー（linear line sensor）３０は直ちにそれぞれユーザーの一つの制御物体４、例えば指(図３に示す通り)によって作られる反射光２３を感応することができ、それによりそれぞれ一つのライン位置信号が生まれる。図１Ａに示す通り。
【００３０】
該コントローラー４０はＭＣＵ（microcontroller unit）或いはＣＰＵ（CPU,Central Processing Unit）にすることができるが、本考案を制限するものではない。それは該少なくとも二つのリニアラインセンサー３０が感応して得たライン位置信号(図１Ａに示す通り)を受信するために用いるものであり、また、運算を行い、該制御物体４が該２次元(Ｘ−Ｙ)光幕２２の範囲内で対応する２次元座標位置(Ｘ−Ｙ)を割り出し、２次元測位を実現する。
【００３１】
図１Ａに示すように、該コントローラー４０は該少なくとも二つのリニアラインセンサー３０で得たライン位置信号を使って運算を行うため（例えば三角運算機能）、本考案のコントローラー４０が行う運算量は従来技術(例えばUS2012/0162077、US2014/0055364など)のように、映像キャプチャレンズ（camera）で得た信号で運算することより相対的に簡易化することができる。この他、該コントローラー４０は２次元測位モジュール１或いは具体形１０内の設置位置は制限されない。図３に示すように、該コントローラー４０の設置位置は本考案を制限するものではない。
【００３２】
本考案が提供するバーチャル２次元測位モジュール１は、少なくとも二つのリニアラインセンサー３０を採用し、従来技術の一般的に使用する映像キャプチャレンズ(camera)の代わりとする。映像キャプチャレンズ(camera)を使うことにより盗撮されやすい安全性のリスクを避けるほか、更にコントローラーの運算量を簡易化し、製造コストを下げ、マイクロ化モジュール設計などのメリットを具有する。各種の入力装置の応用に導入するのに有利であり、例えばその他の投影装置と合わせて一つの入力装置を構成し、バーチャルキーボード（virtual keyboard）、アクセス制御システム、バーチャルスイッチなど、該２次元測位モジュール及び入力装置の応用範囲と効果を拡大する。
【００３３】
図４に示すのは、本考案が提供する入力装置のバーチャル２次元測位モジュール１をバーチャルキーボードの入力装置に応用した使用状態略図である。本入力装置実施例において、本考案が提供するバーチャル２次元測位モジュール１は一つの投影装置５(即ち関連装置２)及び一つの起動ユニット５ａと合わせて使用することで、一つのバーチャルキーボード（virtual keyboard）入力装置を構成する。その中で、本考案が提供するバーチャル２次元測位モジュール１と該投影装置５及び該起動ユニット５ａは、全体を該関連装置２(例えば投影装置５)が形成する具体形２aの内部(図４に示す通り)に設置することができるが、本考案を制限するものではない。使用する際、図３に示すように、該起動ユニット５ａを使ってユーザーの制御物体４が近づいているか否かを検出する。そうである場合、バーチャル２次元測位モジュール１を起動し、且つバーチャル２次元測位モジュール１の中のコントローラー４０を通じて該投影装置５を起動し、バーチャル２次元測位モジュール１が形成する２次元(Ｘ-Ｙ)光幕２２の範囲内に、キーボード配置を具有する一つのバーチャルキーボード６ａを形成して投影する。図３に示すように、ユーザーの制御物体４が該バーチャルキーボード６ａの２次元光幕２２に対応する範囲内に入った場合、本考案が提供するバーチャル２次元測位モジュール１の感応及び運算機能を通じて、該制御物体４が該バーチャルキーボード６ａ(２次元光幕２２の範囲)内で対応する２次元座標位置を割り出すことができ、バーチャル２次元測位を実現すると共に、該バーチャルキーボード６ａ(２次元光幕２２の範囲)が予定するシステム使用機能を実現し、該バーチャルキーボード入力装置のシステム構造を簡易化する。
【００３４】
図５に示すのは、本考案が提供する入力装置のバーチャル２次元測位モジュールをバーチャル番号キーボードのパスワードロックアクセス制御システム(入力装置)に応用した使用状態略図である。本入力装置実施例において、バーチャル２次元測位モジュール１は一つの投影装置５(即ち関連装置２)及び一つの起動ユニット(或いは一つの感応ユニット)５ａと合わせて使用することで、一つのバーチャル番号キーボードのパスワードロックアクセス制御システムを構成する。その中で該バーチャル２次元測位モジュール１と該投影装置５及び該起動ユニット５ａは、全体を該関連装置２(例えば投影装置５)が形成する具体形２aの内部(図５に示す通り)に設置することができるが、本考案を制限するものではない。使用する際、図３に示すように、該起動ユニット５ａを使ってユーザーの制御物体４が近づいているか否かを検出する。或いは起動ユニット(感応ユニット)５ａを使ってユーザーの(ＮＦＣ或いはＩＤカード)が合致するのかを検出/識別する。そうである場合、バーチャル２次元測位モジュール１を起動し、且つ本考案のコントローラー４０によって該投影装置５を起動する。バーチャル２次元モジュール１が形成する２次元(Ｘ-Ｙ)光幕２２の範囲内に一つのバーチャル番号キーボード６ｂを形成して投影する。図３に示すように、ユーザーの制御物体４が該バーチャル番号キーボード６ｂの２次元光幕２２に対応する範囲内に入った場合、バーチャル２次元測位モジュール１の感応及び運算機能を通じて、該制御物体４が該バーチャル番号キーボード６ｂ(２次元光幕２２の範囲)内で対応する２次元座標位置を割り出すことができ、バーチャル２次元測位を実現すると共に、該バーチャル番号キーボード６ｂ(２次元光幕２２の範囲)が予定するシステム使用機能を実現し、該パスワードロックアクセス制御システム(入力装置)のシステム構造を簡易化する。
【００３５】
図６に示すのは、本考案が提供する入力装置のバーチャル２次元測位モジュールをバーチャルマウス入力装置に応用した使用状態略図である。本入力装置実施例において、バーチャル２次元測位モジュール１は一つの投影装置５(即ち関連装置２)及び一つの起動ユニット５ａと合わせて使用することで、一つのバーチャルマウス入力装置を構成する。その中で該バーチャル２次元測位モジュール１と該投影装置５及び該起動ユニット５ａは、全体を該関連装置２(例えば投影装置５)が形成する具体形２aの内部(図６に示す通り)に設置することができるが、本考案を制限するものではない。使用する際、図３に示すように、該起動ユニット５ａを使ってユーザーの制御物体４が近づいているか否かを検出する。そうである場合、バーチャル２次元測位モジュール１を起動し、且つバーチャル２次元測位モジュール１のコントローラー４０によって該投影装置５を起動する。バーチャル２次元モジュール１が形成する２次元(Ｘ-Ｙ)光幕２２の範囲内にマウスボタンを具有する一つのバーチャルマウス６ｃを形成して投影する。図３に示すように、ユーザーの制御物体４が該バーチャルマウス６ｃの２次元光幕２２に対応する範囲内に入った場合、例えばその中の“左ボタン(Ｌ)”エリア或いは“右ボタン(Ｒ)”エリア或いは左ボタン(Ｌ)或いは右ボタン(Ｒ)の間のスクロールボタンに入った場合、バーチャル２次元測位モジュール１の感応及び運算機能を通じて、該制御物体４が該バーチャルマウス６ｃ(２次元光幕２２の範囲)内で対応する２次元座標位置を割り出すことができ、バーチャル２次元測位を実現すると共に、該バーチャルマウスのシステム使用機能を実現し、該バーチャルマウス入力装置のシステム構造を簡易化する。
【００３６】
図７に示すのは、本考案が提供する入力装置のバーチャル２次元測位モジュールをバーチャルスイッチ入力装置に応用した使用状態略図である。本入力装置実施例において、バーチャル２次元測位モジュール１は、図４から図６に示すように、別途投影装置５(即ち関連装置２)及び起動ユニット５ａと合わせて使用する必要がない。バーチャル測位モジュール１を直接具体形１０の内部に設置し、該２次元光幕２２の範囲内にて、一つのバーチャルスイッチを形成するために用いるものである。使用する際、ユーザーの制御物体(例えば指)が該バーチャルスイッチ６ｄの2次元光幕２２が対応する範囲内に入ったと感応した時、該バーチャルスイッチ６ｄは元の“ＯＦＦ”の状態から“ＯＮ”の状態に変わる。再びユーザーの制御物体(例えば指)を感応した時、該バーチャルスイッチは直ちに“ＯＮ”状態から“ＯＦＦ”の状態に変わり、バーチャル２次元測位を実現すると同時に、該バーチャルスイッチのシステム使用機能を実現し、該バーチャルスイッチの入力装置のシステム構造を簡易化する。
【００３７】
本考案が提供する入力装置のバーチャル２次元測位モジュールを入力装置に応用する実施例において、図４から図６に示すように、該起動ユニット５ａは一つの感知部品を使って、ユーザーが該入力装置を使いたがっているか否かを検出することができる。例えばユーザーは一つの制御物体（user-controlled object）を使って、該起動ユニット５ａの中にある感知部品に近づき、それを感知させて且つ該投影装置５を起動させて投影を行うことで、予定するバーチャル図形を形成する。該起動ユニット５ａにある感知部品はイメージセンサー（Image Sensor）或いは近接センサー（Proximity Sensor）を含むが、それによって制限されない。
【００３８】
本考案の一つの実施例において、該コントローラー４０に含まれるのは、ＭＣＵ（MCU，Microcontroller Unit）或いはＣＰＵ（CPU，Central Processing Unit）であり、該赤外光レーザー光源２０、該少なくとも二つのリニアラインセンサー３０或いは互いに合わせて使用する投影装置５或いは起動ユニット５ａの間の信号連接及び作動関係の制御を行うためのものである。例えば該起動ユニット５ａの起動信号を判断し、該投影装置５を起動して投影を行い、及び該少なくとも二つのリニアラインセンサー３０の座標位置信号を検出並びに受信することで、本考案が提供する入力装置のバーチャル２次元測位モジュールを実現し、及び本考案の入力装置のシステム使用機能を応用する。
【００３９】
図８から図１４に示すのは、本考案が提供するバーチャル入力デバイスの実施方法である。図８は本考案が提供するバーチャル入力デバイスの外観立体図である。図９は本考案が提供するバーチャル入力デバイスの使用状態の平面略図である。図１０は図９の正面略図である。図１１は図９の側面略図である。図１２は本考案が提供するバーチャル入力デバイスをバーチャルキーボード入力に応用した使用状態略図である。図１３は本考案が提供するバーチャル入力デバイスをバーチャル番号キーボード入力に応用した使用状態略図である。図１４は本考案が提供するバーチャル入力デバイスをバーチャルマウス入力に応用した使用状態略図である。
【００４０】
図７から図１０に示すように、本考案が提供するバーチャル入力デバイス７は、使用時には一つの平面８に置き、該バーチャル入力デバイス７は一つのケース７０、一つの光源７２、少なくとも二つのリニアラインセンサー７４、一つの投影装置７６及び一つのコントローラー７８を含む。
【００４１】
該ケース７０の外形はマスクの造形或いはヘルメットの造形とし、且つ該ケース７０は一つの前側面７１を具有し、該前側面７１を顔の形にし、額部７１０、眼部７１１、頬部７１２及び口部７１３を含む。
【００４２】
該光源７２は赤外光レーザー光源（IR laser light）とし、該ケース７０内に設置し、且つ該ケース７０の口部７１３に対応することで、該光源７２は該口部７１３を通じて対外に一つの水平の赤外線レーザー８１を投射し、それにより該光源７２(赤外光レーザー光源)が該平面８の上方に、該平面８に接近及び平行し、且つ一つの範囲エリアを占める一つの２次元(Ｘ-Ｙ)光幕８２を形成する。図７から図１０に示すように、該光源７２(赤外光レーザー光源IR laser light)が投射する赤外線レーザーが一つの２次元(Ｘ-Ｙ)光幕８２(図１０に示す通り)を形成できるよう、該光源７２(赤外光レーザー光源IR laser light)が発するレーザービームは、ラインジェネレーターオプティックス（line generator optics）のような一つの広角用光学部品の屈折により、屈折後のライトファン（light fan）が９０度より大きくできる。該平面８の表面に形成する広角のラインビームは、すなわち２次元(Ｘ−Ｙ)光幕８２である(図８に示す通り)。しかし、上述の２次元(Ｘ−Ｙ)光幕３２の形成方法は、本考案を制限するものではない。
【００４３】
該少なくとも二つのリニアラインセンサー（linear line sensor）７４は一つの予定する適切な距離を隔てて離れて該ケース７０内且つ該ケース７０の頬部７１２に対応して設置する。図７、図８に示すように、互いに平行し、且つ離れて該光源７２の左右両サイドに設置するが、本考案を制限するものではない。使用する際、ユーザーの制御物体９例えば指(図１０に示すように)が該２次元(Ｘ−Ｙ)光幕８２の範囲内のある位置に入ると、該光源７２は該制御物体９の遮りにより反射光８３を作り出す。該少なくとも二つのリニアラインセンサー（linear line sensor）７４は直ちにそれぞれユーザーの一つの制御物体９例えば指(図１０に示すように)によって作られる反射光８３を感応することができ、それによりそれぞれ一つのライン位置信号が生まれる。
【００４４】
該投影装置７６を該ケース７０内に設置し、且つ該ケース７０の額部７１０に対応する。また、該２次元(Ｘ-Ｙ)光幕８２の範囲内に一つのバーチャル入力画像を形成して投影するために用いるものであり、該バーチャル入力画像はバーチャルキーボードの入力画像とバーチャル番号キーボード入力画像或いはバーチャルマウスの入力画像である。
【００４５】
該コントローラー７８はＭＣＵ（microcontroller unit）或いはＣＰＵ（CPU,Central Processing Unit）にすることができるが、本考案を制限するものではない。それは該少なくとも二つのリニアラインセンサー７４が感応して得たライン位置信号を受信し運算を行うために用いるものであり、該制御物体９が該２次元(Ｘ−Ｙ)光幕８２の範囲内で対応する２次元座標位置(Ｘ−Ｙ)を割り出し、２次元測位を実現する。該コントローラー７８は該少なくとも二つのリニアラインセンサー７４で得たライン位置信号を使って（例えば三角運算機能）運算を行うため、本考案のコントローラー７８が行う運算量はホログラフィ或いは光学スキャナーのような従来技術で得た信号で運算を行うよりは簡易化する。
【００４６】
図１１に示すのは、本考案が提供するバーチャル入力デバイスをバーチャルキーボードによって入力する方法に応用した使用状態略図である。使用する際には、図１０に示すように、まずユーザーの制御物体９が近づいているか否かを検出する。そうである場合、バーチャル入力デバイス７を起動し、且つコントローラー７８を通じて該投影装置７６を起動し、２次元(Ｘ-Ｙ)光幕８２の範囲内に、キーボード配置を具有するバーチャルキーボード８４ａを形成して投影する。図１０に示すように、ユーザーの制御物体９がバーチャルキーボード８４ａの２次元光幕８２に対応する範囲内に入った場合、バーチャル入力デバイス７の感応及び運算機能を通じて、該制御物体９が該バーチャルキーボード８４ａ(２次元光幕８２の範囲)の中で対応する２次元座標位置を割り出すことができ、バーチャル２次元測位を実現する。また、該バーチャルキーボード８４ａ(２次元光幕８２の範囲)が予定するシステム使用機能を実現し、該システム構造を簡易化する。
【００４７】
図１２に示すのは、本考案が提供するバーチャル入力デバイスをバーチャル番号キーボードによって入力する方法(例えばパスワードロックアクセス制御システム)に応用した使用状態略図である。使用する際には、図１０に示すように、まずユーザーの制御物体４が近づいているか否かを検出、或いはユーザーの(例えばＮＦＣ或いはＩＤカード)が合致するのかを検出/識別する。仮に合致すれば、バーチャル入力デバイス７を起動し、且つコントローラー７８を通じて該投影装置を起動し、２次元(Ｘ−Ｙ)光幕８２範囲内に一つのバーチャル番号キーボード８４ｂを形成して投影する。図１０に示すように、ユーザーの制御物体９が、該バーチャル番号キーボード８４ｂの２次元光幕８２に対応する範囲内入った際、バーチャル入力デバイス７の感応及び運算機能を通じて、該制御物体９が該バーチャル番号キーボード８４ｂ(２次元光幕８２範囲)内に対応する２次元座標位置を割り出すことができ、バーチャル２次元測位を実現する。また、該バーチャル番号キーボード８４ｂ(２次元光幕８２範囲)が予定するシステム使用機能を実現することで、該システム構造を簡易化する。
【００４８】
図１３に示すのは、本考案が提供するバーチャル入力デバイスをバーチャルマウスによって入力する方法に応用した使用状態略図である。使用する際には、図１０に示すように、まずユーザーの制御物体９が近づいているか否かを検出する。そうである場合、バーチャル入力デバイス７を起動し、且つコントローラー７８を通じて該投影装置７６を起動し、２次元(Ｘ-Ｙ)光幕８２の範囲内に、マウスボタンの配置を具有するバーチャルマウス８４ｃを形成して投影する。図１０に示すように、ユーザーの制御物体９がバーチャルマウス８４ｃの２次元光幕８２に対応する範囲内に入った場合、例えばその中の“左ボタン(Ｌ)”エリア或いは“右ボタン(Ｒ)”エリア或いは左ボタン(Ｌ)或いは右ボタン(Ｒ)の間のスクロールボタンに入った場合、バーチャル入力デバイス７の感応及び運算機能を通じて、該制御物体９が該バーチャルマウス８４ｃ(２次元光幕８２の範囲)内で対応する２次元座標位置を割り出すことができ、バーチャル２次元測位を実現すると共に、該バーチャルマウスのシステム使用機能を実現し、該システム構造を簡易化する。
【００４９】
本考案のバーチャルマウス８４ｃの公開内容に基づき、該バーチャルマウス８４ｃの使用に合わせるために、本考案が提供するバーチャル入力デバイス７は更に二つの指示ランプ８５ａ、８５ｂを含む。該二つの指示ランプ８５ａ、８５ｂは対称的に間隔を開けて該ケース７０内に設置し、且つ該ケース７０の頬部７１２に対応する。該投影装置７６がマウスボタンを具有するバーチャルマウス８４ｃの入力画像を形成して投影する場合、該二つの指示ランプ８５ａ、８５ｂはそれぞれマウスの左、右ボタンの表示ランプになる。
【００５０】
本考案が提供するバーチャル入力デバイス７が公開する内容は、従来技術の一般的に画像撮影或いは光学スキャナーを使用する代わりに、少なくとも二つのリニアラインセンサー７４を採用する。よって、画像撮影を使用することで盗撮されやすい安全性のリスクを避けることができるほか、更にコントローラーの運算量を簡易化し、製造コストを下げ、マイクロ化モジュール設計などのメリットを具有し、他の投影装置と合わせて一つの入力装置を構成、バーチャルキーボード（virtual keyboard）、アクセス制御システムなど、各種入力装置の応用を導入するのに有利であり、該バーチャル入力デバイス７の応用範囲及び効果を拡大する。
【００５１】
本考案が提供するバーチャル入力デバイス７の中のコントローラー７８の公開内容に基づき、それに含まれるのはＭＣＵ（MCU，Microcontroller Unit）或い
はＣＰＵ（CPU，Central Processing Unit）であり、該光源７２、該少なくとも二つのリニアラインセンサー７４と投影装置７６の間の信号連接及び作動関係の制御を行うためのものである。例えば該投影装置７６を起動し、該少なくとも二つのリニアラインセンサー７４の座標位置信号を投影及び検出且つ受信し、本考案が提供するバーチャル入力デバイス７を実現し、及び本考案の入力装置のシステム使用機能を応用する。
【００５２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００５３】
１  バーチャル２次元測位モジュール
１０  具体形
２０  赤外光レーザー光源
２１  赤外線レーザー
２２  ２次元光幕
２３  反射光
３０  リニアラインセンサー
４０  コントローラー
２  関連装置
２ａ  具体形
３  平面
４  制御物体
５  投影装置
５ａ  起動ユニット
６ａ  バーチャルキーボード
６ｂ  バーチャル番号キーボード
６ｃ  バーチャルマウス
６ｄ  バーチャルスイッチ
７  バーチャル入力デバイス
８  平面
９  制御物体
７０  ケース
７２  光源
７４  リニアラインセンサー
７６  投影装置
７８  コントローラー
７１  前側面
７１０  額部
７１１  眼部
７１２  頬部
７１３  口部
８１  赤外線レーザー
８２  ２次元光幕
８３  反射光
８４ａ  バーチャルキーボード
８４ｂ  バーチャル番号キーボード
８４ｃ  バーチャルマウス
８５ａ  指示ランプ
８５ｂ  指示ランプ
【図１】
0003201426.tif 000003
【図１Ａ】
0003201426.tif 000004
【図２】
0003201426.tif 000005
【図３】
0003201426.tif 000006
【図４】
0003201426.tif 000007
【図５】
0003201426.tif 000008
【図６】
0003201426.tif 000009
【図７】
0003201426.tif 000010
【図８】
0003201426.tif 000011
【図９】
0003201426.tif 000012
【図１０】
0003201426.tif 000013
【図１１】
0003201426.tif 000014
【図１２】
0003201426.tif 000015
【図１３】
0003201426.tif 000016
【図１４】
0003201426.tif 000017